(57)【特許請求の範囲】
【請求項１】
アンテナロッド（２１）と、該アンテナロッド（２１）を支持するアンプケース（２２）と、該アンプケース（２２）の下部に結合されるアンプベース（２８）と、前記アンテナロッド（２１）を支持するアンテナロッド支持部材（３０）と、該アンテナロッド支持部材（３０）を貫通して前記アンテナロッド（２１）を可倒可能に支持する軸（４７）と、該軸（４７）を介して前記アンテナロッド支持部材（３０）を支持するブラケット（２３）とを具備してアンテナユニット（２０）が形成され、前記アンプケース（２２）には前記ブラケット（２３）を該アンプケース（２２）の下方より挿入して所定位置に固定する嵌合部（２４）が形成され、前記アンテナロッド支持部材（３０）を支持したブラケット（２３）は、前記アンプケース（２２）の下側から挿入されて前記嵌合部（２４）に挿入固定されてなるアンテナ可倒部の取り付け構造において、
前記アンテナロッド（２１）をピン（４７）を介して支持したアンテナロッド支持部材（３０）は、導電用のピン（４８）と、クリック用のピン（５０）と、該ピン（４８，５０）を押圧付勢するスプリング（４９，５０）とを有し、
前記ブラケット（２３）は樹脂にてＵ字形に形成され、その一方の立ち上がり部には、前記導電用のピン（４８）が接触し且つ前記アンテナロッド（２１）を支持するピン（４７）を挿通する軸孔（４１）を有する導電用のＬ字形の金属板（４２）がインサートモールドされ、他方の立ち上がり部には、前記アンテナロッド（２１）を支持するピン（４７）を挿通する軸孔（４４）と前記クリック用のピン（５０）が係合するクリック用の孔（４５）とが穿設されたクリック用金属板（４６）が付設されていることを特徴とするアンテナ可倒部の取り付け構造。
【発明の詳細な説明】
【０００１】
【発明の属する技術分野】
本発明はアンテナ可倒部の取り付け構造に関する。詳しくは、可倒式アンテナロッドを有する自動車用アンテナにおいて、アンテナロッドを回動可能に支持する軸の両端に設けられる盲蓋をなくして、アンプケースの外観を良好にしたアンテナ可倒部の取り付け構造に関する。
【０００２】
【従来の技術】
従来の可倒式アンテナロッドを有する自動車用アンテナの１例を図６に示す。同図（ａ）は側面図、（ｂ）は上面図、（ｃ）は（ａ）図のｃーｃ線における断面図である。同図において、符号１はアンプケースであり、該アンプケース１は樹脂にて中空の略円錐状に形成され、内部にアンプが搭載されたプリント基板２が収容されている。
【０００３】
また、符号３はアンプベースであり、該アンプベース３は下部に自動車のルーフパンネルへの取り付け用ボス４が形成されている。なお該取り付け用ボス４にはケーブル５を引き出すための孔４ａが形成され、外周にねじ４ｂが形成されている。そして、該アンプベース３とアンプケース１とはラバーパッキン６を介して結合されている。また、アンプケース１の上部には軸７が設けられ、その両端にボタン状の盲蓋８が設けられている。
【０００４】
また、符号９はアンテナロッドであり、該アンテナロッド９は、その一端をアンテナロッド支持部材１０に支持され、該アンテナロッド支持部材１０は前記アンプケース１に設けられた凹部１１に挿入され軸７により回動可能に支持されている。そしてケーブル５からの信号はアンプを介してアンテナロッド９に送られるようになっている。
このように構成されたアンテナは、自動車のルーフパネルに予め穿設された取り付け孔に取り付け用ボス４を挿入し、図示なきナットにより締付固定される。
【０００５】
【発明が解決しようとする課題】
上記従来の可倒式アンテナロッドを有する自動車用アンテナにおいては、アンテナロッド支持部材１０を回動可能に支持する軸７の両端に配置されたボタン状の盲蓋８が外部から見えるため、外観上好ましくないという問題がある。
【０００６】
本発明は上記従来の問題点に鑑み、アンテナロッドを支持する軸を隠す盲蓋をなくしてアンプケースの外観を良好にしたアンテナ可倒部の取り付け構造を実現することを目的とする。
【０００７】
【課題を解決するための手段】
上記目的を達成するため本発明の請求項１は、アンテナロッド２１と、該アンテナロッド２１を支持するアンプケース２２と、該アンプケース２２の下部に結合されるアンプベース２８と、前記アンテナロッド２１を支持するアンテナロッド支持部材３０と、該アンテナロッド支持部材３０を貫通して前記アンテナロッド２１を可倒可能に支持する軸４７と、該軸４７を介して前記アンテナロッド支持部材３０を支持するブラケット２３とを具備してアンテナユニット２０が形成され、前記アンプケース２２には前記ブラケット２３を該アンプケース２２の下方より挿入して所定位置に固定する嵌合部２４が形成され、前記アンテナロッド支持部材３０を支持したブラケット２３は、前記アンプケース２２の下側から挿入されて前記嵌合部２４に挿入固定されてなるアンテナ可倒部の取り付け構造において、前記アンテナロッド２１をピン４７を介して支持したアンテナロッド支持部材３０は、導電用のピン４８と、クリック用のピン５０と、該ピン４８，５０を押圧付勢するスプリング４９，５０とを有し、前記ブラケット２３は樹脂にてＵ字形に形成され、その一方の立ち上がり部には、前記導電用のピン４８が接触し且つ前記アンテナロッド２１を支持するピン４７を挿通する軸孔４１を有する導電用のＬ字形の金属板４２がインサートモールドされ、他方の立ち上がり部には、前記アンテナロッド２１を支持するピン４７を挿通する軸孔４４と前記クリック用のピン５０が係合するクリック用の孔４５とが穿設されたクリック用金属板４６が付設されていることを特徴とする。
【００１０】
この構成を採ることにより、アンテナロッドを組み付けたブラケットを、アンプケースの下方から嵌合部に挿入固定するため、従来の如きアンプケースの外面にボタン状の盲蓋を必要せず、従って外観は良好となる。
【００１１】
【発明の実施の形態】
図１及び図２は本発明のアンテナ可倒部の取り付け構造の実施の形態を説明するための図であり、図１の（ａ）は上面図、（ｂ）は正面図、（ｃ）は側面図、図２（ａ）は図１（ａ）のａ−ａ線における断面図、（ｂ）は（ａ）図のｂ−ｂ線における断面図である。図１及び図２において、２０はアンテナユニット、２１はアンテナロッド、２２はアンテナロッドを支持した樹脂製のアンプケースである。そして、該アンプケース２２は図２に示すように、内部が空洞の略円錐状をなし、その上部はアンテナロッド２１を支持するためのブラケット２３を収容する凹部２４と、アンテナロッド２１が回動できる溝２５が形成されている。
【００１２】
また、アンプケース２２の内部にはアンテナロッド２１に電気信号を送る図示なきアンプを搭載したプリント基板２６が収容され、下部には図示なき自動車のルーフパネルへの取り付け用ボス部２７が形成された金属製のアンプベース２８が取り付けられている。なお、該取り付け用ボス部２７にはケーブル引き出し用の孔２７ａが形成され、外周にねじ２７ｂが形成されている。さらにアンプベース２８の下面にはシール部材２９が設けられている。
【００１３】
図３はアンテナロッド及びアンテナロッド支持部材を示す図で、（ａ）は正面図、（ｂ）は（ａ）図のＺ矢視図、（ｃ）は（ａ）図のＹ矢視図、（ｄ）は（ａ）図のｄーｄ線における断面図、（ｅ）は（ｃ）図のｅーｅ線における断面図である。本アンテナロッド支持部材３０は、芯金３１を樹脂３２でインサートモールドしており、該芯金３１は上部にコイル状のアンテナ線３３をアンテナ線支持金具３４を介して支持している。
【００１４】
また、芯金３１の下部には回転軸が挿通される軸孔３５と該孔３５を中心とし且つ該孔３５に平行して４個の貫通孔３６が穿設されている。この４個の貫通孔３６のうち２個はクリック用のピンが、他の２個は導電用のピンがそれぞれ挿入されるようになっている。
【００１５】
図４は前記アンテナロッド支持部材３０を支持するブラケットを示す図で（ａ）は正面図、（ｂ）は（ａ）図のＺ矢視図、（ｃ）は（ａ）図のＹ矢視図、（ｄ）は斜視図である。本ブラケット２３は、断面が略Ｕ字状をなし、その一方の立ち上がり部には軸孔４１を有する断面Ｌ字状の金属板４２が樹脂４３によりインサートモールドされ、他方の立ち上がり部には軸孔４４と、クリック用の４個の孔４５とが穿設された略円形の金属板４６が挿入されている。
【００１６】
図５は前記ブラケット２３に前記アンテナロッド支持部材３０を組み付けた状態を示す図で、（ａ）は側面図、（ｂ）は（ａ）図のｂ−ｂ線における断面図である。同図に示すようにアンテナロッド支持部材３０は、その軸孔３５とブラケット２３の軸孔４１，４４に軸４７が挿通されてブラケット２３に回動可能に組み付けられる。
【００１７】
そして、アンテナロッド支持部材３０の４個の貫通孔３６の内の２個にはブラケット２３の導電用金属板４２に接触する導電用ピン４８と該ピン４８を押圧付勢するスプリング４９とが挿入され、他の２個の貫通孔３６にはクリック用金属板４６に接触し且つクリック用の孔４５に係合するクリック用ピン５０と該ピン５０を押圧付勢するスプリング５１とが挿入されている。そして、導電用ピン４８はアンテナロッド２１とアンプとの間の電気的導通をとることができ、クリック用ピン５０はクリック用の孔４５に係合してアンテナロッド２１の倒れ角を調節することができるようになっている。
【００１８】
このようにアンテナロッド２１を組み付けたブラケット２８は、図２（ａ）の如く、アンプケース２２の下方から嵌合部２４に挿入され固定される。このように構成された本実施の形態のアンテナ可倒部の取り付け構造は、従来の如きアンプケースの外面にボタン状の盲蓋がないため、外観は良好となる。
【００１９】
【発明の効果】
本発明のアンテナ可倒部の取り付け構造に依れば、アンテナロッドを支持するブラケットを、アンプケースの下側から挿入固定する構成としたことにより、アンテナロッド支持部材を支持する軸を隠す盲蓋がアンプケースに必要ないため、アンテナユニットとしての外観は良好となる。
【図面の簡単な説明】
【図１】本発明のアンテナ可倒部の取り付け構造の実施の形態を説明するための図で、（ａ）は上面図、（ｂ）は正面図、（ｃ）は側面図である。
【図２】本発明のアンテナ可倒部の取り付け構造の実施の形態を説明するための図で、（ａ）は図１（ａ）のａ−ａ線における断面図、（ｂ）は（ａ）図のｂ−ｂ線における断面図である。
【図３】本発明のアンテナ可倒部の取り付け構造の実施の形態におけるアンテナロッド支持部材を示す図で、（ａ）は正面図、（ｂ）は（ａ）図のＺ矢視図、（ｃ）は（ａ）図のＹ矢視図、（ｄ）は（ａ）図のｄーｄ線における断面図、（ｅ）は（ｃ）図のｅーｅ線における断面図である。
【図４】本発明のアンテナ可倒部の取り付け構造の実施の形態におけるブラケットを示す図で、（ａ）は正面図、（ｂ）は（ａ）図のＺ矢視図、（ｃ）は（ａ）図のＹ矢視図、（ｄ）は斜視図である。
【図５】本発明のアンテナ可倒部の取り付け構造の実施の形態におけるブラケットにアンテナロッド支持部材を組み付けた状態を示す図で、（ａ）は側面図、（ｂ）は（ａ）図のｂ−ｂ線における断面図である。
【図６】従来の可倒式アンテナロッドを有する自動車用アンテナの１例を示す図である。
【符号の説明】
２０…アンテナユニット
２１…アンテナロッド
２２…アンプケース
２３…ブラケット
２４…嵌合部
２５…溝
２６…プリント基板
２７…ボス部
２８…アンプベース
２９…シール部材
３０…アンテナロッド支持部材
３１…芯金
３２、４３…樹脂
３３…アンテナ線
３４…アンテナ線支持金具
３５，４１，４４…軸孔
３６…貫通孔
４２…導電用金属板
４５…クリック用孔
４６…クリック用金属板
４７…軸
４８導電用ピン
４９，５１…スプリング
５０…クリック用ピン
【図１】
0003599683.tif 000002
【図２】
0003599683.tif 000003
【図３】
0003599683.tif 000004
【図４】
0003599683.tif 000005
【図５】
0003599683.tif 000006
【図６】
0003599683.tif 000007